(57)【特許請求の範囲】
【請求項１】
排出トレイと、
画像データに基づく画像を用紙に印刷し、印刷済み用紙を前記排出トレイに排出する印刷部と、
前記排出トレイに排出される前記印刷済み用紙の表裏面の向きおよび前記印刷済み用紙の印刷画像の向きを報知するための排出用紙情報を表示する表示部と、を備え、
前記表示部は、前記排出用紙情報を表示するとき、前記印刷済み用紙の前記排出トレイからの取り方を報知するための用紙取り方情報を表示し、
前記用紙取り方情報は、前記印刷済み用紙をユーザーが前記排出トレイから取ってユーザー自身の正面に持ってきたときに、前記印刷済み用紙の表裏面のうち表面がユーザーに対面し、かつ、前記印刷済み用紙の印刷画像の向きがユーザーから見て正しい向きになるような、前記印刷済み用紙の前記排出トレイからの取り方を報知するための情報であり、
前記排出トレイに排出される前記印刷済み用紙の表面が下向きになり、かつ、前記印刷済み用紙の印刷画像の向きが装置正面側から見て左向きになる場合、前記表示部は、前記用紙取り方情報として、甲を上向きにした右手で前記印刷済み用紙を取るよう報知するための情報を表示し、
前記排出トレイに排出される前記印刷済み用紙の表面が上向きになり、かつ、前記印刷済み用紙の印刷画像の向きが装置正面側から見て右向きになる場合、前記表示部は、前記用紙取り方情報として、掌を上向きにした右手で前記印刷済み用紙を取るよう報知するための情報を表示し、
前記排出トレイに排出される前記印刷済み用紙の表面が下向きになり、かつ、前記印刷済み用紙の印刷画像の向きが装置正面側から見て右向きになる場合、前記表示部は、前記用紙取り方情報として、甲を上向きにした左手で前記印刷済み用紙を取るよう報知するための情報を表示し、
前記排出トレイに排出される前記印刷済み用紙の表面が上向きになり、かつ、前記印刷済み用紙の印刷画像の向きが装置正面側から見て左向きになる場合、前記表示部は、前記用紙取り方情報として、掌を上向きにした左手で前記印刷済み用紙を取るよう報知するための情報を表示することを特徴とする画像形成装置。
【請求項２】
甲を上向きにした右手で前記印刷済み用紙を取るよう報知する場合、前記表示部は、甲を上向きにした右手を示す画像を前記用紙取り方情報として表示し、
掌を上向きにした右手で前記印刷済み用紙を取るよう報知する場合、前記表示部は、掌を上向きにした右手を示す画像を前記用紙取り方情報として表示し、
甲を上向きにした左手で前記印刷済み用紙を取るよう報知する場合、前記表示部は、甲を上向きにした左手を示す画像を前記用紙取り方情報として表示し、
掌を上向きにした左手で前記印刷済み用紙を取るよう報知する場合、前記表示部は、掌を上向きにした左手を示す画像を前記用紙取り方情報として表示することを特徴とする請求項１に記載の画像形成装置。
【請求項３】
排出トレイと、
画像データに基づく画像を用紙に印刷し、印刷済み用紙を前記排出トレイに排出する印刷部と、
前記排出トレイに排出される前記印刷済み用紙の表裏面の向きおよび前記印刷済み用紙の印刷画像の向きを報知するための排出用紙情報を表示する表示部と、を備え、
前記表示部は、前記印刷済み用紙の表裏面のうち前記排出トレイへの排出時に上向きにされる面の印刷画像に対応するプレビュー画像を前記排出用紙情報として表示するとともに、前記プレビュー画像の向きを前記排出トレイに排出される前記印刷済み用紙の印刷画像の向きと一致させ、前記プレビュー画像を配した画面を構成する前記プレビュー画像以外の画面要素のうち予め定められた画面要素の向きを前記排出トレイに排出される前記印刷済み用紙の印刷画像の向きと一致させることを特徴とする画像形成装置。
【請求項４】
前記表示部は、前記印刷済み用紙の所定部分がめくり返された状態の画像を前記プレビュー画像として生成し、前記印刷済み用紙の表裏面のうち前記排出トレイへの排出時に下向きにされる面の印刷画像の一部を前記プレビュー画像の前記所定部分に対応する部分に表示することを特徴とする請求項３に記載の画像形成装置。
【請求項５】
前記表示部は、前記プレビュー画像を表示するとき、前記プレビュー画像の一部を他の部分に対して拡大することを特徴とする請求項３または４に記載の画像形成装置。
【請求項６】
前記排出トレイに排出される前記印刷済み用紙を右手で取るか左手で取るかの設定入力を受け付ける入力部を備え、
前記印刷済み用紙を右手で取る旨の設定入力を前記入力部が受け付けた場合、前記印刷部は、前記印刷済み用紙の表裏面のうち表面が下向きになり、かつ、前記印刷済み用紙の印刷画像の向きが装置正面側から見て左向きになるように、または、前記印刷済み用紙の表裏面のうち表面が上向きになり、かつ、前記印刷済み用紙の印刷画像の向きが装置正面側から見て右向きになるように、前記用紙に画像を印刷して前記印刷済み用紙を前記排出トレイに排出し、
前記印刷済み用紙を左手で取る旨の設定入力を前記入力部が受け付けた場合、前記印刷部は、前記印刷済み用紙の表裏面のうち表面が下向きになり、かつ、前記印刷済み用紙の印刷画像の向きが装置正面側から見て右向きになるように、または、前記印刷済み用紙の表裏面のうち表面が上向きになり、かつ、前記印刷済み用紙の印刷画像の向きが装置正面側から見て左向きになるように、前記用紙に画像を印刷して前記印刷済み用紙を前記排出トレイに排出することを特徴とする請求項１〜５のいずれか１項に記載の画像形成装置。
【発明の詳細な説明】
【技術分野】
【０００１】
本発明は、印刷済み用紙が排出される排出トレイを備えた画像形成装置に関する。
【背景技術】
【０００２】
複合機などの画像形成装置は、用紙搬送路に沿って用紙を搬送し、搬送中の用紙に対して画像データに基づく画像を印刷した後、印刷済み用紙を排出する印刷部を備える。このような画像形成装置には、通常、印刷済み用紙が排出されたときに、その印刷済み用紙を受ける排出トレイが設けられる（たとえば、特許文献１参照）。
【０００３】
特許文献１の画像形成装置では、排出トレイに排出される印刷済み用紙の表裏面の向きを任意に設定できるようになっている。すなわち、印刷済み用紙の表裏面のうち、表面を下向きにした状態（フェイスダウン状態）で印刷済み用紙を排出トレイに排出することもできるし、表面を上向きにした状態（フェイスアップ状態）で印刷済み用紙を排出トレイに排出することもできる。
【０００４】
なお、排出トレイに排出される印刷済み用紙の印刷画像の向きについては、たとえば、画像形成装置の機種によって異なる。すなわち、印刷済み用紙の印刷画像の向きが装置正面側から見て左向きになるよう印刷済み用紙が排出されるものもあれば、印刷済み用紙の印刷画像の向きが装置正面側から見て右向きになるよう印刷済み用紙が排出されるものもある。あるいは、排出トレイに排出される印刷済み用紙の印刷画像の向きを任意に設定できるようになっているものもある。
【先行技術文献】
【特許文献】
【０００５】
【特許文献１】特開２０１２−１２６４８０号公報
【発明の概要】
【発明が解決しようとする課題】
【０００６】
たとえば、排出トレイに排出される印刷済み用紙の表面が下向きになり、かつ、印刷済み用紙の印刷画像の向きが装置正面側から見て左向きになる場合には、装置正面に対面するユーザーが甲を上向きにした右手で印刷済み用紙を排出トレイから取れば、手に取った印刷済み用紙を持ち替えなくても、印刷済み用紙の表面の印刷画像を正しい向きで視認することができる（すなわち、ユーザーが印刷済み用紙を自身の正面に持ってきたときに、印刷済み用紙の表面がユーザーに対面し、かつ、印刷済み用紙の印刷画像の向きがユーザーから見て正しい向きになる）。また、別の例として、排出トレイに排出される印刷済み用紙の表面が上向きになり、印刷済み用紙の印刷画像の向きが装置正面側から見て左向きになる場合には、装置正面に対面するユーザーが掌を上向きにした左手で印刷済み用紙を排出トレイから取れば、手に取った印刷済み用紙を持ち替えなくても、印刷済み用紙の表面の印刷画像を正しい向きで視認することができる。
【０００７】
しかし、排出トレイから取った印刷済み用紙を持ち替えることなく印刷済み用紙の表面の印刷画像を正しい向きで視認するためには、画像形成装置の仕様（排出トレイに排出される印刷済み用紙の向き）を覚えておかなければならない。したがって、ユーザーにとっては煩わしく利便性が悪い。
【０００８】
本発明は、上記課題を解決するためになされたものであり、排出トレイから取った印刷済み用紙の持ち替えを行わなくても印刷済み用紙の表裏面のうち表面が正しい向きでユーザーに対面するように、印刷済み用紙を排出トレイから取らせることが可能な画像形成装置を提供することを目的とする。
【課題を解決するための手段】
【０００９】
上記目的を達成するために、本発明の画像形成装置は、排出トレイと、画像データに基づく画像を用紙に印刷し、印刷済み用紙を排出トレイに排出する印刷部と、排出トレイに排出される印刷済み用紙の表裏面の向きおよび印刷済み用紙の印刷画像の向きを報知するための排出用紙情報を表示する表示部と、を備える。
【００１０】
本発明の構成では、排出トレイに排出される印刷済み用紙の表裏面の向きおよび印刷済み用紙の印刷画像の向きを報知するための排出用紙情報が表示されるので、ユーザーからすると、画像形成装置の仕様（排出トレイに排出される印刷済み用紙の向き）を覚えていなくても、排出トレイに排出される印刷済み用紙の表裏面の向きおよび印刷済み用紙の印刷画像の向きを認識することができる。これにより、排出トレイから取った印刷済み用紙を持ち替えることなくユーザー自身の正面に持ってきたときに、印刷済み用紙の表面が対面し、かつ、印刷済み用紙の印刷画像の向きが正しい向きとなるように、印刷済み用紙を排出トレイから取ることができる。すなわち、ユーザーの利便性が向上する。
【発明の効果】
【００１１】
本発明では、排出トレイから取った印刷済み用紙の持ち替えを行わなくても印刷済み用紙の表裏面のうち表面が正しい向きでユーザーに対面するように、印刷済み用紙を排出トレイから取らせることができる。
【図面の簡単な説明】
【００１２】
【図１】本発明の一実施形態による複合機の概略図
【図２】本発明の一実施形態による複合機に装着される操作パネルの平面図
【図３】本発明の一実施形態による複合機のハードウェア構成を説明するためのブロック図
【図４】本発明の一実施形態による複合機の操作パネルに表示される排出用紙情報および用紙取り方情報の一例を示した図（印刷済み用紙の表面が下向きで印字画像が左向きとなるよう印刷済み用紙が排出される場合の図）
【図５】本発明の一実施形態による複合機の操作パネルに表示される排出用紙情報および用紙取り方情報の一例を示した図（印刷済み用紙の表面が上向きで印字画像が右向きとなるよう印刷済み用紙が排出される場合の図）
【図６】本発明の一実施形態による複合機の操作パネルに表示される排出用紙情報および用紙取り方情報の一例を示した図（印刷済み用紙の表面が下向きで印字画像が右向きとなるよう印刷済み用紙が排出される場合の図）
【図７】本発明の一実施形態による複合機の操作パネルに表示される排出用紙情報および用紙取り方情報の一例を示した図（印刷済み用紙の表面が上向きで印字画像が左向きとなるよう印刷済み用紙が排出される場合の図）
【図８】本発明の一実施形態による複合機の操作パネルに表示される排出用紙情報および用紙取り方情報の一例を示した図（印刷済み用紙の上側部分がめくり返された状態の画像をプレビュー画像として生成した場合の図）
【図９】本発明の一実施形態による複合機の操作パネルに表示される排出用紙情報および用紙取り方情報の一例を示した図（画面要素のうちプレビュー画像の向きのみを印刷済み用紙の印刷画像の向きと一致させた場合の図）
【図１０】本発明の一実施形態による複合機の操作パネルに表示される排出用紙情報および用紙取り方情報の一例を示した図（プレビュー画像の向きを印刷済み用紙の印刷画像の向きと一致させる前の図）
【図１１】本発明の一実施形態による複合機の操作パネルに表示される排出用紙情報および用紙取り方情報の一例を示した図（プレビュー画像の一部を拡大表示した場合の図）
【図１２】本発明の一実施形態による複合機の操作パネルに表示される受付画面（ジョブの実行指示を受け付けるための画面）の一例を示した図
【図１３】本発明の一実施形態による複合機においてジョブを実行するときの制御の流れを説明するためのフローチャート図
【発明を実施するための形態】
【００１３】
本発明の一実施形態について、プリント機能、コピー機能および送信機能（たとえば、ファックス機能）など複数の機能を搭載する複合機を例にとって説明する。なお、このような複合機では、プリントジョブ、コピージョブおよび送信ジョブ（たとえば、ファックスジョブ）など複数種のジョブの実行が可能である。
【００１４】
（複合機の全体構成）
図１に示すように、複合機１００は、画像読取部１および印刷部２を備える。画像読取部１は、原稿を読み取って画像データを生成する。印刷部２は、転写ニップおよび定着ニップにこの順番で用紙Ｐを搬送し、画像データ（たとえば、画像読取部１による原稿の読み取りによって得られた画像データ）に基づく画像を用紙Ｐに印刷する。そして、印刷部２は、印刷済み用紙Ｐを排出トレイ１０１に排出する。なお、複合機１００は、排出トレイ１０１として、胴内に設置された排出トレイ１０１ａおよび装置本体の側面（装置正面側から見て右側面）に設置された排出トレイ１０１ｂを備える。排出トレイ１０１ａには、装置正面側から見て左方向に用紙Ｐが排出され、排出トレイ１０１ｂには、装置正面側から見て右方向に用紙Ｐが排出される。
【００１５】
印刷部２は、給紙部３、用紙搬送部４、画像形成部５、転写部６および定着部７で構成される。また、印刷部２は、用紙搬送路として、第１搬送路２１、第２搬送路２２および第３搬送路２３を有する。なお、第１搬送路２１は、メイン搬送路であり、転写ニップおよび定着ニップをこの順番で経由し、排出トレイ１０１ａに至る。第２搬送路２２は、両面印刷時に用紙Ｐの表裏面を反転させるための搬送路であり、定着ニップの用紙搬送方向下流側にて第１搬送路２１から分岐し、転写ニップの用紙搬送方向上流側にて第１搬送路２１に接続される。第３搬送路２３は、排出トレイ１０１ｂに用紙Ｐを排出するための搬送路であり、定着ニップの用紙搬送方向下流側にて第１搬送路２１から分岐し、排出トレイ１０１ｂに至る。
【００１６】
給紙部３は、ピックアップローラー３１および給紙ローラー対３２を含む。そして、給紙部３は、用紙カセット３３から用紙Ｐを引き出し、その用紙Ｐを第１搬送路２１に供給する。
【００１７】
用紙搬送部４は、用紙搬送路の分岐点ＤＰ（定着ニップの用紙搬送方向下流側の位置）に配置された切替爪ＳＣを含む。また、用紙搬送部４は、第１搬送路２１に配置された搬送ローラー対４１、第２搬送路２２に配置された搬送ローラー対４２および第３搬送路２３に配置された搬送ローラー対４３を含む。
【００１８】
切替爪ＳＣは、定着ニップの用紙搬送方向下流側にて用紙Ｐの搬送経路を切り替える。すなわち、切替爪ＳＣは、定着ニップから送り出される用紙Ｐを、第１搬送路２１、第２搬送路２２および第３搬送路２３のうちいずれかの用紙搬送路に導く。搬送ローラー対４１は、第１搬送路２１に沿って用紙Ｐを搬送し、搬送ローラー対４２は、第２搬送路２２に沿って用紙Ｐを搬送し、搬送ローラー対４３は、第３搬送路２３に沿って用紙Ｐを搬送する。なお、搬送ローラー対４１のうち排出トレイ１０１ａ側に位置する搬送ローラー対４１（４１ａ）は逆回転可能であり、両面印刷時に所定のタイミングで逆回転する。
【００１９】
画像形成部５は、感光体ドラム５１、帯電装置５２、現像装置５３、ドラム清掃装置５４および露光装置５５を含む。そして、画像形成部５は、ブラック（Ｂｋ）、イエロー（Ｙ）、シアン（Ｃ）およびマゼンタ（Ｍ）の各色のトナー像を形成し、各色のトナー像を後述の中間転写ベルト６１に１次転写する。なお、画像形成部５は、各色にそれぞれ対応する機構部５０Ｂｋ、５０Ｙ、５０Ｃおよび５０Ｍに分類される。これら機構部５０Ｂｋ、５０Ｙ、５０Ｃおよび５０Ｍは、それぞれ、感光体ドラム５１、帯電装置５２、現像装置５３およびドラム清掃装置５４を１つずつ有し、後述の中間転写ベルト６１の外側において感光体ドラム５１の周面が中間転写ベルト６１に接するように配置される。
【００２０】
転写部６は、中間転写ベルト６１、１次転写ローラー６２および２次転写ローラー６３を含む。中間転写ベルト６１は、駆動ローラー６４および従動ローラー６５によって張架される。１次転写ローラー６２は、中間転写ベルト６１の内側に配置され、感光体ドラム５１との間で中間転写ベルト６１を挟み込む。２次転写ローラー６３は、中間転写ベルト６１を挟んで駆動ローラー６４と対向するように配置され、中間転写ベルト６１との間で転写ニップを形成する。そして、転写部６は、転写ニップに進入した用紙Ｐに対して、中間転写ベルト６１に転写されたトナー像を２次転写する。
【００２１】
定着部７は、加熱ローラー７１および加圧ローラー７２を含む。加熱ローラー７１は、発熱源を内蔵する。加圧ローラー７２は、加熱ローラー７１に圧接し、加熱ローラー７１との間で定着ニップを形成する。これにより、トナー像の転写を受けた用紙Ｐが定着ニップに進入すると、用紙Ｐが加熱および加圧され、用紙Ｐにトナー像が定着する。
【００２２】
ここで、片面印刷では、転写ニップ（定着ニップ）を用紙Ｐが１回通過することにより印刷が完了する。一方で、両面印刷では、転写ニップ（定着ニップ）を用紙Ｐが２回通過することにより印刷が完了する。
【００２３】
両面印刷を行う場合、切替爪ＳＣは、まず、定着ニップから送られる片面印刷された用紙Ｐを第１搬送路２１に導く。また、搬送ローラー対４１ａは、ひとまず正回転する。その後、搬送ローラー対４１ａは、用紙Ｐが分岐点ＤＰを通過し切ると、搬送ローラー対４１ａのニップを用紙Ｐが通過し切る前に逆回転する。すなわち、片面印刷された用紙Ｐを逆送させる。そして、切替爪ＳＣは、用紙Ｐの搬送経路を切り替えるために回動し、逆送する用紙Ｐを第２搬送路２２に導く。第２搬送路２２に供給された用紙Ｐは、搬送ローラー対４２により第２搬送路２２に沿って搬送され、転写ニップの用紙搬送方向下流側に至る（第１搬送路２１に再供給される）。このときには、用紙Ｐの表裏面が反転している。これにより、第１搬送路２１に再供給された用紙Ｐが転写ニップ（定着ニップ）を通過すると、その用紙Ｐの未印刷面に画像が印刷される。これにより、両面印刷が完了する。
【００２４】
印刷済み用紙Ｐ（片面印刷された用紙Ｐまたは両面印刷された用紙Ｐ）は、排出トレイ１０１ａまたは１０１ｂに排出される。印刷済み用紙Ｐを排出トレイ１０１ａに排出する場合、切替爪ＳＣは、第１搬送路２１への進入口を開く方向に回動する。これにより、定着ニップから送られる印刷済み用紙Ｐは、搬送ローラー対４１（４１ａ）により第１搬送路２１に沿って搬送され、排出トレイ１０１ａに排出される。一方で、印刷済み用紙Ｐを排出トレイ１０１ｂに排出する場合、切替爪ＳＣは、第３搬送路２３への進入口を開く方向に回動する。これにより、定着ニップから送られる印刷済み用紙Ｐは、搬送ローラー対４３により第３搬送路２３に沿って搬送され、排出トレイ１０１ｂに排出される。
【００２５】
また、複合機１００は、図２に示すような操作パネル８を備える。操作パネル８は、複合機１００の正面側（たとえば、図１の破線で示された箇所）に配置される。この操作パネル８には、操作表示部８１が設けられる。操作表示部８１は、液晶表示パネル８２および液晶表示パネル８２の表示面上に配置されたタッチパネル８３を含む。そして、操作表示部８１は、各種設定を受け付けるためのソフトキーやメッセージなどを液晶表示パネル８２に表示し、タッチパネル８３を介して各種設定を受け付ける。なお、操作パネル８には、スタートキー、ストップキー、リセットキーおよびテンキーなど種々のハードキー８４も設けられる。
【００２６】
（複合機のハードウェア構成）
図３に示すように、複合機１００は、主制御部１１０を備える。主制御部１１０は、メインＣＰＵ１１１、画像処理部１１２および記憶部１１３を含む。画像処理部１１２は、画像処理専用のＡＳＩＣなどからなり、画像データに対して画像処理（拡大／縮小、濃度変換およびデータ形式変換など）を施す。記憶部１１３は、ＲＯＭおよびＲＡＭなどからなり、制御用のプログラムおよびデータを記憶する。そして、主制御部１１０は、記憶部１１３に記憶されたプログラムおよびデータに基づき、複合機１００の各部の動作を制御する。
【００２７】
具体的には、主制御部１１０は、画像読取部１および印刷部２（給紙部３、用紙搬送部４、画像形成部５、転写部６および定着部７）と接続される。そして、主制御部１１０は、画像読取部１の読取動作を制御するとともに、印刷部２の印刷動作を制御する。
【００２８】
また、主制御部１１０は、パネル制御部１２０と接続される。パネル制御部１２０は、ＣＰＵ１２１および記憶部１２２を含み、主制御部１１０から指示を受け、操作パネル８の表示動作を制御したり、操作パネル８に対して行われた操作を検知したりする。たとえば、パネル制御部１２０は、液晶表示パネル８２にソフトキーを表示させ、そのソフトキーに対してタッチ操作が行われると、タッチパネル８３の出力に基づきタッチ操作を受けたソフトキーを検知する。また、パネル制御部１２０は、ハードキー８４を押下する押下操作が行われると、ハードキー８４の押下によりオンオフが切り替わるスイッチの出力に基づき押下操作を受けたハードキー８４を検知する。そして、パネル制御部１２０は、操作パネル８に対して行われた操作を検知し、その検知結果を主制御部１１０に送信する。これにより、操作パネル８に対して行われた操作を主制御部１１０が認識する。
【００２９】
また、主制御部１１０は、通信部１３０と接続される。通信部１３０は、外部のコンピューター２００（ユーザー端末やサーバーなど）とネットワークを介して通信可能に接続される。これにより、コンピューター２００から送信された画像データに基づき印刷を行うことができるとともに、画像読取部１による原稿の読み取りによって得られた画像データをコンピューター２００に送信することもできる。また、通信部１３０にモデムなどを内蔵してもよい。この場合には、電話回線などのネットワークを介して、外部のファクシミリ３００とファックス通信することができる。
【００３０】
（排出トレイに排出される印刷済み用紙の向き）
操作パネル８は、フェイスダウンモードおよびフェイスアップモードのうちいずれの用紙排出モードで印刷済み用紙Ｐを排出するかのモード設定を受け付ける。なお、フェイスダウンモードというのは、印刷済み用紙Ｐの表裏面のうち表面を下向きにして印刷済み用紙Ｐを排出するモードであり、フェイスアップモードというのは、印刷済み用紙Ｐの表裏面のうち表面を上向きにして印刷済み用紙Ｐを排出するモードである。たとえば、通常では、フェイスダウンモードがデフォルトモードとされる。
【００３１】
ここで、片面印刷の場合には、定着ニップを抜けた印刷済み用紙Ｐ（片面印刷された用紙Ｐ）をそのまま第１搬送路２１に沿って搬送して排出トレイ１０１ａに排出すれば、印刷済み用紙Ｐの表面が下向き（フェイスダウン）となる。一方で、定着ニップを抜けた印刷済み用紙Ｐ（片面印刷された用紙Ｐ）を第３搬送路２３に沿って搬送して排出トレイ１０１ｂに排出すれば、印刷済み用紙Ｐの表面が上向き（フェイスアップ）となる。
【００３２】
なお、両面印刷では、まず、第１搬送路２１に沿って搬送される用紙Ｐに対して、裏面に印刷すべき画像を上下反転して印刷する。その後、片面印刷された用紙Ｐの表裏面を反転し、その用紙Ｐを第１搬送路２１に沿って再度搬送する。そして、片面印刷された用紙Ｐに対して、表面に印刷すべき画像を上下反転せずに印刷する。したがって、印刷済み用紙Ｐ（両面印刷された用紙Ｐ）が定着ニップを抜けるときには、その印刷済み用紙Ｐの表裏面の向きおよび印刷済み用紙Ｐに印刷された画像（以下、単に印刷済み用紙Ｐの印刷画像と称する）の向きが片面印刷時と同じになる。すなわち、両面印刷であっても、定着ニップを抜けた印刷済み用紙Ｐ（両面印刷された用紙Ｐ）をそのまま第１搬送路２１に沿って搬送して排出トレイ１０１ａに排出すればフェイスダウンとなり、定着ニップを抜けた印刷済み用紙Ｐ（両面印刷された用紙Ｐ）を第３搬送路２３に沿って搬送して排出トレイ１０１ｂに排出すればフェイスアップとなる。
【００３３】
このため、フェイスダウンモードに設定されていれば、定着ニップを抜けた印刷済み用紙Ｐがそのまま第１搬送路Ｐに沿って搬送されるように、切替爪ＳＣの回動位置が制御される。一方で、フェイスアップモードに設定されていれば、定着ニップを抜けた印刷済み用紙Ｐが第１搬送路２１から第３搬送路２３に導かれるように、切替爪ＳＣの回動位置が制御される。これにより、フェイスダウンモードでは、印刷済み用紙Ｐが排出トレイ１０１ａに排出され、印刷済み用紙Ｐの表面が下向きになる。一方で、フェイスアップモードでは、印刷済み用紙Ｐが排出トレイ１０１ｂに排出され、印刷済み用紙Ｐの表面が上向きになる。
【００３４】
また、印刷済み用紙Ｐが排出トレイ１０１ａに排出されるフェイスダウンモードでは、片面印刷および両面印刷のいずれの場合であっても、印刷済み用紙Ｐの印刷画像の向きは装置正面側から見て左向きとなる。言い換えると、排出トレイ１０１ａに排出される印刷済み用紙Ｐの印刷画像の向きが装置正面に対面するユーザーから見て左向きとなる。一方で、印刷済み用紙Ｐが排出トレイ１０１ｂに排出されるフェイスアップモードでは、片面印刷および両面印刷のいずれの場合であっても、排出トレイ１０１ｂに排出される印刷済み用紙Ｐの印刷画像の向きは装置正面側から見て右向きとなる（装置正面に対面するユーザーから見て右向きとなる）。
【００３５】
ただし、排出トレイ１０１ａに排出される印刷済み用紙Ｐの印刷画像の向き、および、排出トレイ１０１ｂに排出される印刷済み用紙Ｐの印刷画像の向き、を任意に設定することもできる。たとえば、片面印刷では、印刷すべき画像の上下を反転すれば、排出トレイ１０１ａに排出される印刷済み用紙Ｐの印刷画像の向きを装置正面側から見て右向きにすることができ、排出トレイ１０１ｂに排出される印刷済み用紙Ｐの印刷画像の向きを装置正面側から見て左向きにすることができる。なお、排出トレイ１０１ａに排出される印刷済み用紙Ｐの印刷画像の向きが装置正面側から見て左向き（または、右向き）となり、排出トレイ１０１ｂに排出される印刷済み用紙Ｐの印刷画像の向きが装置正面側から見て右向き（または、左向き）となるよう固定される場合もある。
【００３６】
（排出用紙情報および用紙取り方情報の表示）
印刷済み用紙Ｐが排出トレイ１０１ａに排出される場合（用紙排出モードがフェイスダウンモードの場合）、印刷済み用紙Ｐの表裏面のうち表面が下向きとなり、印刷済み用紙Ｐの印刷画像の向きが装置正面側から見て左向きとなる。この場合、装置正面に対面するユーザーが甲を上向きにした右手で印刷済み用紙Ｐを排出トレイ１０１ａから取れば、ユーザーが印刷済み用紙Ｐを自身の正面に持ってきたときに、印刷済み用紙Ｐの表面がユーザーに対面し、かつ、印刷済み用紙Ｐの印刷画像の向きがユーザーから見て正しい向きとなる。すなわち、手に取った印刷済み用紙Ｐを持ち替えなくても、印刷済み用紙Ｐの表面の印刷画像を正しい向きで視認することができる。
【００３７】
また、印刷済み用紙Ｐが排出トレイ１０１ｂに排出される場合（用紙排出モードがフェイスアップモードの場合）、印刷済み用紙Ｐの表裏面のうち表面が上向きとなり、印刷済み用紙Ｐの印刷画像の向きが装置正面側から見て右向きとなる。この場合、装置正面に対面するユーザーが掌を上向きにした右手で印刷済み用紙Ｐを排出トレイ１０１ｂから取れば、ユーザーが印刷済み用紙Ｐを自身の正面に持ってきたときに、印刷済み用紙Ｐの表面がユーザーに対面し、かつ、印刷済み用紙Ｐの印刷画像の向きがユーザーから見て正しい向きとなる。すなわち、手に取った印刷済み用紙Ｐを持ち替えなくても、印刷済み用紙Ｐの表面の印刷画像を正しい向きで視認することができる。
【００３８】
そこで、本実施形態では、ユーザーの利便性を向上させるため、排出トレイ１０１に排出される印刷済み用紙Ｐの向きを報知するための情報である排出用紙情報を操作パネル８（操作表示部８１の液晶表示パネル８２）に表示する。なお、排出用紙情報というのは、排出トレイ１０１に排出される印刷済み用紙Ｐの表裏面の向き、および、排出トレイ１０１に排出される印刷済み用紙Ｐの印刷画像の向き、を報知するための情報である。この構成においては、操作パネル８が本発明の「表示部」に相当する。
【００３９】
たとえば、両面印刷された用紙Ｐが排出トレイ１０１ａに排出されるとする（フェイスダウンモード）。この場合、操作パネル８は、図４に示すようなプレビュー画像ＰＰを排出用紙情報として配した印刷状況画面ＰＳを表示する。具体的には、操作パネル８は、印刷済み用紙Ｐの表裏面のうち排出トレイ１０１ａへの排出時に上向きにされる裏面の印刷画像に対応するプレビュー画像ＰＰ（ＰＰ２）を印刷状況画面ＰＳに配する。さらに、操作パネル８は、排出トレイ１０１ａに排出される印刷済み用紙Ｐの印刷画像の向きとプレビュー画像ＰＰ（ＰＰ２）の向きとを一致させる。すなわち、印刷済み用紙Ｐが排出トレイ１０１ａに排出されるフェイスダウンモードでは、排出トレイ１０１ａに排出される印刷済み用紙Ｐの印刷画像の向きが装置正面側から見て左向きになるので、プレビュー画像ＰＰ（ＰＰ２）の向きも装置正面側から見て左向きになる。
【００４０】
また、両面印刷された用紙Ｐが排出トレイ１０１ｂに排出されるとする（フェイスアップモード）。この場合、操作パネル８は、図５に示すようなプレビュー画像ＰＰを排出用紙情報として配した印刷状況画面ＰＳを表示する。具体的には、操作パネル８は、印刷済み用紙Ｐの表裏面のうち排出トレイ１０１ｂへの排出時に上向きにされる表面の印刷画像に対応するプレビュー画像ＰＰ（ＰＰ１）を印刷状況画面ＰＳに配する。さらに、操作パネル８は、排出トレイ１０１ｂに排出される印刷済み用紙Ｐの印刷画像の向きとプレビュー画像ＰＰ（ＰＰ１）の向きとを一致させる。すなわち、印刷済み用紙Ｐが排出トレイ１０１ｂに排出されるフェイスアップモードでは、排出トレイ１０１ｂに排出される印刷済み用紙Ｐの印刷画像の向きが装置正面側から見て右向きになるので、プレビュー画像ＰＰ（ＰＰ１）の向きも装置正面側から見て右向きになる。
【００４１】
これにより、装置正面に対面するユーザーからすると、操作パネル８に表示されるプレビュー画像ＰＰは、排出トレイ１０１に排出される印刷済み用紙Ｐの表裏面の向きおよび印刷済み用紙Ｐの印刷画像の向きを示したものとなる。
【００４２】
なお、排出トレイ１０１に排出される印刷済み用紙Ｐの印刷画像の向きを任意に設定できる構成では、排出トレイ１０１ａに排出されるフェイスダウンモードにおいて印刷済み用紙Ｐの印刷画像の向きが装置正面側から見て右向きになる場合もあるし、排出トレイ１０１ｂに排出されるフェイスアップモードにおいて印刷済み用紙Ｐの印刷画像の向きが装置正面側から見て左向きになる場合もある。このような場合も、操作パネル８は、排出トレイ１０１に排出される印刷済み用紙Ｐの印刷画像の向きとプレビュー画像ＰＰの向きとを一致させる。
【００４３】
すなわち、印刷済み用紙Ｐが排出トレイ１０１ａに排出されるフェイスダウンモードにおいて、排出トレイ１０１ａに排出される印刷済み用紙Ｐの印刷画像の向きが装置正面側から見て右向きになる場合、操作パネル８は、図６に示すように、印刷済み用紙Ｐの裏面の印刷画像に対応するプレビュー画像ＰＰ２を印刷状況画面ＰＳに配し、プレビュー画像ＰＰ２の向きを装置正面側から見て右向きにする。一方で、印刷済み用紙Ｐが排出トレイ１０１ｂに排出されるフェイスアップモードにおいて、排出トレイ１０１ｂに排出される印刷済み用紙Ｐの印刷画像の向きが装置正面側から見て左向きになる場合、操作パネル８は、図７に示すように、印刷済み用紙Ｐの表面の印刷画像に対応するプレビュー画像ＰＰ１を印刷状況画面ＰＳに配し、プレビュー画像ＰＰ１の向きを装置正面側から見て左向きにする。
【００４４】
ところで、印刷済み用紙Ｐが排出トレイ１０１ａに排出されるフェイスダウンモードでは、印刷済み用紙Ｐの表裏面のうち表面が下向きになり裏面が上向きになるので、印刷状況画面ＰＳに配されるプレビュー画像ＰＰは印刷済み用紙Ｐの裏面の印刷画像に対応したものとなる（図４および図６参照）。この場合、仮に、表裏面のうち表面にのみ画像が印刷された印刷済み用紙Ｐが排出トレイ１０１ａに排出されるときには、印刷済み用紙Ｐの裏面には印刷画像が無いので、プレビュー画像ＰＰが白紙画像となる。そして、このようにプレビュー画像ＰＰが白紙画像であると、印刷済み用紙Ｐの表裏面の向きについてはプレビュー画像ＰＰから判別できるが、印刷済み用紙Ｐの印刷画像の向きについてはプレビュー画像ＰＰだけでは判別できない。したがって、図８に示すような画像をプレビュー画像ＰＰとしてもよい。
【００４５】
具体的には、操作パネル８は、印刷済み用紙Ｐの上側部分（本発明の「所定部分」に相当）がめくり返された状態の画像をプレビュー画像ＰＰとして生成する。そして、操作パネル８は、印刷済み用紙Ｐの表裏面のうち排出トレイ１０１ａへの排出時に下向きにされる表面の印刷画像の一部をプレビュー画像ＰＰの部分ＵＰ（印刷済み用紙Ｐの上側部分に対応する部分）に表示する。なお、プレビュー画像ＰＰの部分ＵＰは、印刷済み用紙Ｐのめくり返された部分を表している。したがって、プレビュー画像ＰＰの部分ＵＰの画像の向きは、排出トレイ１０１ａに排出される印刷済み用紙Ｐの印刷画像の向きとは一致しない。
【００４６】
また、排出トレイ１０１に排出される印刷済み用紙Ｐの印刷画像の向きをより分かり易くするため、図４〜図７に示すように、印刷状況画面ＰＳを構成するプレビュー画像ＰＰ以外の画面要素ＳＥのうち予め定められた画面用紙ＳＥ（たとえば、全ての画面要素ＳＥ）の向きも、排出トレイ１０１に排出される印刷済み用紙Ｐの印刷画像の向きと一致させてもよい。たとえば、印刷状況画面ＰＳには、プレビュー画像ＰＰとは別に、「印刷中です」および「部数」といった複数のテキストメッセージが画面要素ＳＥとして配される。
【００４７】
ただし、図９に示すように、プレビュー画像ＰＰの向きのみを排出トレイ１０１に排出される印刷済み用紙Ｐの印刷画像の向きと一致させ、プレビュー画像ＰＰ以外の画面要素ＳＥの向きについては装置正面に対面するユーザーから見て正しい向きとなるようにしてもよい。
【００４８】
あるいは、まず、図１０に示すように、印刷状況画面ＰＳの向きが装置正面に対面するユーザーから見て正しい向きとなるように印刷状況画面ＰＳを表示し、その後、図４または図６に示すように、印刷状況画面ＰＳの向きが排出トレイ１０１に排出される印刷済み用紙Ｐの印刷画像の向きと一致するように印刷状況画面ＰＳを回転させてもよい。このとき、印刷状況画面ＰＳの向きが徐々に変化するようなアニメーション表示を行なってもよい。
【００４９】
また、図１１に示すように、プレビュー画像ＰＰを表示するときに、プレビュー画像ＰＰの一部ＥＰを他の部分に対して拡大してもよい。たとえば、操作パネル８は、プレビュー画像ＰＰの部分ＥＰの文字や数字などの記号を１６ｄｏｔ程度（ユーザーが見て判別できる程度の大きさ）に拡大する。ただし、プレビュー画像ＰＰの部分ＥＰの拡大率については、画面サイズなどに応じて変更可能であり、拡大率をより大きくしてもよいし小さくしてもよい。
【００５０】
さらに、本実施形態では、ユーザーの利便性を向上させるため、排出用紙情報を表示するときに、印刷済み用紙Ｐの排出トレイ１０１からの取り方を報知するための情報である用紙取り方情報を操作パネル８（操作表示部８１の液晶表示パネル８２）に表示する。なお、用紙取り方情報というのは、排出トレイ１０１に排出される印刷済み用紙Ｐをユーザーが取ってユーザー自身の正面に持ってきたときに、印刷済み用紙Ｐの表裏面のうち表面がユーザーに対面し、かつ、印刷済み用紙Ｐの印刷画像の向きがユーザーから見て正しい向きになるような、排出トレイ１０１からの印刷済み用紙Ｐの取り方を報知するための情報である。
【００５１】
具体的には、印刷済み用紙Ｐの表面が下向きになり、かつ、印刷済み用紙Ｐの印刷画像の向きが装置正面側から見て左向きとなる場合（図４参照）には、装置正面に対面するユーザーが甲を上向きにした右手で印刷済み用紙Ｐを取れば、ユーザーが印刷済み用紙Ｐを自身の正面に持ってきたときに、印刷済み用紙Ｐの表面がユーザーに対面し、かつ、印刷済み用紙Ｐの印刷画像の向きがユーザーから見て正しい向きとなる。
【００５２】
また、印刷済み用紙Ｐの表面が上向きになり、かつ、印刷済み用紙Ｐの印刷画像の向きが装置正面側から見て右向きとなる場合（図５参照）には、装置正面に対面するユーザーが掌を上向きにした右手で印刷済み用紙Ｐを取れば、ユーザーが印刷済み用紙Ｐを自身の正面に持ってきたときに、印刷済み用紙Ｐの表面がユーザーに対面し、かつ、印刷済み用紙Ｐの印刷画像の向きがユーザーから見て正しい向きとなる。
【００５３】
また、印刷済み用紙Ｐの表面が下向きになり、かつ、印刷済み用紙Ｐの印刷画像の向きが装置正面側から見て右向きになる場合（図６参照）には、装置正面に対面するユーザーが甲を上向きにした左手で印刷済み用紙Ｐを取れば、ユーザーが印刷済み用紙Ｐを自身の正面に持ってきたときに、印刷済み用紙Ｐの表面がユーザーに対面し、かつ、印刷済み用紙Ｐの印刷画像の向きがユーザーから見て正しい向きとなる。
【００５４】
また、印刷済み用紙Ｐの表面が上向きになり、かつ、印刷済み用紙Ｐの印刷画像の向きが装置正面側から見て左向きになる場合（図７参照）には、装置正面に対面するユーザーが掌を上向きにした左手で印刷済み用紙Ｐを取れば、ユーザーが印刷済み用紙Ｐを自身の正面に持ってきたときに、印刷済み用紙Ｐの表面がユーザーに対面し、かつ、印刷済み用紙Ｐの印刷画像の向きがユーザーから見て正しい向きとなる。
【００５５】
そこで、操作パネル８は、甲を上向きにした右手画像ＢＲＨ（図４参照）、掌を上向きにした右手画像ＰＲＨ（図５参照）、甲を上向きにした左手画像ＢＬＨ（図６参照）、および、掌を上向きにした左手画像ＰＬＨ（図７参照）、のうちいずれかの手画像Ｈを用紙取り方情報として表示し、排出トレイ１０１からの印刷済み用紙Ｐの最適な取り方を報知する。ただし、用紙取り方情報の表示形態は特に限定されず、テキストメッセージを用紙取り方情報として表示してもよいし、手画像Ｈとテキストメッセージとを組み合わせてもよい。
【００５６】
操作パネル８は、印刷済み用紙Ｐの表面が下向きになり、かつ、印刷済み用紙Ｐの印刷画像の向きが装置正面側から見て左向きとなる場合、図４に示すように、甲を上向きにした右手画像ＢＲＨを用紙取り方情報として表示することにより、甲を上向きにした右手で印刷済み用紙Ｐを取るよう報知する。また、操作パネル８は、印刷済み用紙Ｐの表面が上向きになり、かつ、印刷済み用紙Ｐの印刷画像の向きが装置正面側から見て右向きとなる場合、図５に示すように、掌を上向きにした右手画像ＰＲＨを用紙取り方情報として表示することにより、掌を上向きにした右手で印刷済み用紙Ｐを取るよう報知する。また、操作パネル８は、印刷済み用紙Ｐの表面が下向きになり、かつ、印刷済み用紙Ｐの印刷画像の向きが装置正面側から見て右向きになる場合、図６に示すように、甲を上向きにした左手画像ＢＬＨを用紙取り方情報として表示することにより、甲を上向きにした左手で印刷済み用紙Ｐを取るよう報知する。また、操作パネル８は、印刷済み用紙Ｐの表面が上向きになり、かつ、印刷済み用紙Ｐの印刷画像の向きが装置正面側から見て左向きになる場合、図７に示すように、掌を上向きにした左手画像ＰＬＨを表示することにより、掌を上向きにした左手で印刷済み用紙Ｐを取るよう報知する。
【００５７】
なお、操作パネル８は、手画像Ｈを表示するとき、プレビュー画像ＰＰに対して手画像Ｈをオーバーレイ表示する。たとえば、排出トレイ１０１からの印刷済み用紙Ｐの最適な取り方をより分かり易く報知するため、甲を上向きにした右手画像ＢＲＨ（図４参照）および甲を上向きにした左手画像ＢＬＨ（図６参照）を表示するときには、手画像Ｈをプレビュー画像ＰＰよりも上層に表示する（手画像Ｈと重畳するプレビュー画像ＰＰの重畳部分を非表示にする）。また、掌を上向きにした右手画像ＰＲＨ（図５参照）および掌を上向きにした左手画像ＰＬＨ（図７参照）を表示するときには、手画像Ｈをプレビュー画像ＰＰよりも下層に表示する（プレビュー画像ＰＰと重畳する手画像Ｈの重畳部分を非表示にする）。
【００５８】
（印刷済み用紙を右手で取るか左手で取るかの設定入力の受け付け）
操作パネル８は、印刷を伴うジョブ（コピージョブ）の開始指示を受け付けるとき、図１２に示すような受付画面ＲＳを表示する。受付画面ＲＳには、右手画像ＲＨおよび左手画像ＬＨが配される。この受付画面ＲＳにおいて、右手画像ＲＨおよび左手画像ＬＨのうちいずれかの表示領域がタッチされると、操作パネル８は、そのタッチ操作をコピージョブの開始指示として受け付ける。そして、主制御部１１０は、印刷部２に指示し、コピージョブを実行させる。
【００５９】
ここで、右手画像ＲＨがタッチされた場合、主制御部１１０は、印刷済み用紙Ｐの表面が下向きになり、かつ、印刷済み用紙Ｐの印刷画像が装置正面側から見て左向きになるように、印刷部２に印刷を行わせ、印刷済み用紙Ｐを排出トレイ１０１ａに排出させる。また、主制御部１１０は、図４に示した印刷状況画面ＰＳを操作パネル８に表示させる。
【００６０】
ただし、右手画像ＲＨがタッチされた場合であっても、用紙排出モードがフェイスアップモードに設定されていれば、主制御部１１０は、印刷済み用紙Ｐの表面が上向きになり、かつ、印刷済み用紙Ｐの印刷画像が装置正面側から見て右向きになるように、印刷部２に印刷を行わせ、印刷済み用紙Ｐを排出トレイ１０１ｂに排出させる。そして、主制御部１１０は、図５に示した印刷状況画面ＰＳを操作パネル８に表示させる。あるいは、用紙排出モードをフェイスアップモードからフェイスダウンモードに切り替え、印刷済み用紙Ｐの表面が下向きになり、かつ、印刷済み用紙Ｐの印刷画像が装置正面側から見て左向きになるように、印刷済み用紙Ｐを排出トレイ１０１ａに排出してもよい（図４に示した印刷状況画面ＰＳを操作パネル８が表示する）。
【００６１】
一方で、左手画像ＬＨがタッチされた場合、主制御部１１０は、印刷済み用紙Ｐの表面が下向きになり、かつ、印刷済み用紙Ｐの印刷画像が装置正面側から見て右向きになるように、印刷部２に印刷を行わせ、印刷済み用紙Ｐを排出トレイ１０１ａに排出させる。また、主制御部１１０は、図６に示した印刷状況画面ＰＳを操作パネル８に表示させる。
【００６２】
ただし、左手画像ＬＨがタッチされた場合であっても、用紙排出モードがフェイスアップモードに設定されていれば、主制御部１１０は、印刷済み用紙Ｐの表面が上向きになり、かつ、印刷済み用紙Ｐの印刷画像が装置正面側から見て左向きになるように、印刷部２に印刷を行わせ、印刷済み用紙Ｐを排出トレイ１０１ｂに排出させる。そして、主制御部１１０は、図７に示した印刷状況画面ＰＳを操作パネル８に表示させる。あるいは、用紙排出モードをフェイスアップモードからフェイスダウンモードに切り替え、印刷済み用紙Ｐの表面が下向きになり、かつ、印刷済み用紙Ｐの印刷画像が装置正面側から見て右向きになるように、印刷済み用紙Ｐを排出トレイ１０１ａに排出してもよい（図６に示した印刷状況画面ＰＳを操作パネル８が表示する）。
【００６３】
これにより、受付画面ＲＳの右手画像ＲＨへのタッチを受けて開始したコピージョブでは、排出トレイ１０１に排出された印刷済み用紙Ｐをユーザーが右手で取れば、ユーザーが印刷済み用紙Ｐを自身の正面に持ってきたときに、印刷済み用紙Ｐの表面がユーザーに対面し、かつ、印刷済み用紙Ｐの印刷画像の向きがユーザーから見て正しい向きとなる。一方で、受付画面ＲＳの左手画像ＬＨへのタッチを受けて開始したコピージョブでは、排出トレイ１０１に排出された印刷済み用紙Ｐをユーザーが左手で取れば、ユーザーが印刷済み用紙Ｐを自身の正面に持ってきたときに、印刷済み用紙Ｐの表面がユーザーに対面し、かつ、印刷済み用紙Ｐの印刷画像の向きがユーザーから見て正しい向きとなる。すなわち、受付画面ＲＳは、コピージョブの開始指示を受け付ける画面であるのと同時に、排出トレイ１０１に排出される印刷済み用紙Ｐを右手で取るか左手で取るかの設定入力を受け付けるための画面でもある。この構成においては、受付画面ＲＳを表示する操作パネル８が本発明の「入力部」に相当する。
【００６４】
なお、コピージョブだけでなく、プリントジョブも印刷を伴うジョブである。プリントジョブでは、コンピューター２００から送信されるジョブデータ（画像データなどを含むデータ）を通信部１３０が受信し、通信部１３０が受信したジョブデータに基づき印刷部２による印刷が行われる。この場合、排出トレイ１０１に排出される印刷済み用紙Ｐを右手で取るか左手で取るかの設定がコンピューター２００上で行われる。そして、コンピューター２００からジョブデータが送信されるときに、排出トレイ１０１に排出される印刷済み用紙Ｐを右手で取るか左手で取るかを示すデータ（取り手データ）も送信され、通信部１３０が受信する。そして、主制御部１１０は、通信部１３０が受信した取り手データに基づき、排出トレイ１０１に排出される印刷済み用紙Ｐの表裏面の向きおよび印刷画像の向きを設定する。
【００６５】
（印刷を伴うジョブを実行するときの制御の流れ）
以下に、図１３に示すフローチャートを参照し、印刷を伴うジョブを実行するときの制御の流れについて説明する。なお、図１３に示すフローチャートのスタートは、受付画面ＲＳ（図１２参照）の右手画像ＲＨおよび左手画像ＬＨのうちいずれかの表示領域をタッチする操作を操作パネル８が受け付けたとき、あるいは、ジョブデータ（取り手データを含む）を通信部１３０が受信したときである。
【００６６】
ステップＳ１において、主制御部１１０は、排出トレイ１０１に排出される印刷済み用紙Ｐを右手で取る旨の設定入力を受け付けたか左手で取る旨の設定入力を受け付けたかを判別する（取り手の左右を判別する）。すなわち、主制御部１１０は、受付画面ＲＳ（図１２参照）の右手画像ＲＨおよび左手画像ＬＨのうちいずれの表示領域がタッチされたかを検知し、右手画像ＲＨがタッチされていれば印刷済み用紙Ｐを右手で取る旨の設定入力を受け付けたと判別し、左手画像ＬＨがタッチされていれば印刷済み用紙Ｐを左手で取る旨の設定入力を受け付けたと判別する。あるいは、主制御部１１０は、通信部１３０がジョブデータ（取り手データを含む）を受信していれば、取り手データに基づき、印刷済み用紙Ｐを右手で取る旨の設定入力を受け付けたか左手で取る旨の設定入力を受け付けたかを判別する。
【００６７】
次に、ステップＳ２において、主制御部１１０は、排出トレイ１０１に排出される印刷済み用紙Ｐの表裏面の向きおよび印刷済み用紙Ｐの印刷画像の向きを設定する。たとえば、印刷済み用紙Ｐを右手で取る旨を受け付けた場合には、印刷済み用紙Ｐの表面が下向きになるよう設定する（印刷済み用紙Ｐの排出先を排出トレイ１０１ａに設定する）とともに、印刷済み用紙Ｐの印刷画像の向きが装置正面側から見て左向きになるよう設定する。あるいは、印刷済み用紙Ｐの表面が上向きになるよう設定する（印刷済み用紙Ｐの排出先を排出トレイ１０１ｂに設定する）とともに、印刷済み用紙Ｐの印刷画像の向きが装置正面側から見て右向きになるよう設定する。
【００６８】
一方で、印刷済み用紙Ｐを左手で取る旨を受け付けた場合には、印刷済み用紙Ｐの表面が下向きになるよう設定する（印刷済み用紙Ｐの排出先を排出トレイ１０１ａに設定する）とともに、印刷済み用紙Ｐの印刷画像の向きが装置正面側から見て右向きになるよう設定する。あるいは、印刷済み用紙Ｐの表面が上向きになるよう設定する（印刷済み用紙Ｐの排出先を排出トレイ１０１ｂに設定する）とともに、印刷済み用紙Ｐの印刷画像の向きが装置正面側から見て左向きになるよう設定する。
【００６９】
次に、ステップＳ３において、主制御部１１０は、印刷部２にジョブを実行させる。また、ステップＳ４において、主制御部１１０は、印刷状況画面ＰＳ（排出用紙情報および用紙取り方情報）を操作パネル８に表示させる。すなわち、印刷済み用紙Ｐの表面が下向きになり、かつ、印刷済み用紙Ｐの印刷画像の向きが装置正面側から見て左向きとなる場合には、図４に示すような印刷状況画面ＰＳを表示する。印刷済み用紙Ｐの表面が上向きになり、かつ、印刷済み用紙Ｐの印刷画像の向きが装置正面側から見て右向きとなる場合には、図５に示すような印刷状況画面ＰＳを表示する。印刷済み用紙Ｐの表面が下向きになり、かつ、印刷済み用紙Ｐの印刷画像の向きが装置正面側から見て右向きになる場合には、図６に示すような印刷状況画面ＰＳを表示する。印刷済み用紙Ｐの表面が上向きになり、かつ、印刷済み用紙Ｐの印刷画像の向きが装置正面側から見て左向きになる場合には、図７に示すような印刷状況画面ＰＳを表示する。
【００７０】
本実施形態の複合機１００（画像形成装置）は、上記のように、排出トレイ１０１と、画像データに基づく画像を用紙Ｐに印刷し、印刷済み用紙Ｐを排出トレイ１０１に排出する印刷部２と、排出トレイ１０１に排出される印刷済み用紙Ｐの表裏面の向きおよび印刷済み用紙Ｐの印刷画像の向きを報知するための排出用紙情報を表示する操作パネル８（表示部）と、を備える。
【００７１】
本実施形態の構成では、排出トレイ１０１に排出される印刷済み用紙Ｐの表裏面の向きおよび印刷済み用紙Ｐの印刷画像の向きを報知するための排出用紙情報が表示されるので、ユーザーからすると、複合機１００の仕様（排出トレイ１０１に排出される印刷済み用紙Ｐの向き）を覚えていなくても、排出トレイ１０１に排出される印刷済み用紙Ｐの表裏面の向きおよび印刷済み用紙Ｐの印刷画像の向きを認識することができる。これにより、排出トレイ１０１から取った印刷済み用紙Ｐを持ち替えることなくユーザー自身の正面に持ってきたときに、印刷済み用紙Ｐの表面が対面し、かつ、印刷済み用紙Ｐの印刷画像の向きが正しい向きとなるように、印刷済み用紙Ｐを排出トレイ１０１から取ることができる。すなわち、ユーザーの利便性が向上する。
【００７２】
さらに、本実施形態では、上記のように、操作パネル８は、排出用紙情報を表示するとき、印刷済み用紙Ｐの排出トレイ１０１からの取り方を報知するための用紙取り方情報を表示する。なお、用紙取り方情報というのは、印刷済み用紙Ｐをユーザーが取ってユーザー自身の正面に持ってきたときに、印刷済み用紙Ｐの表裏面のうち表面がユーザーに対面し、かつ、印刷済み用紙Ｐの印刷画像の向きがユーザーから見て正しい向きになるような、印刷済み用紙Ｐの取り方を報知するための情報である。
【００７３】
具体的には、印刷済み用紙Ｐの表面が下向きになり、かつ、印刷済み用紙Ｐの印刷画像の向きが装置正面側から見て左向きとなる場合には、甲を上向きにした右手画像ＢＲＨ（図４参照）を用紙取り方情報として表示し、甲を上向きにした右手で印刷済み用紙Ｐを取るよう報知する。印刷済み用紙Ｐの表面が上向きになり、かつ、印刷済み用紙Ｐの印刷画像の向きが装置正面側から見て右向きとなる場合には、掌を上向きにした右手画像ＰＲＨ（図５参照）を用紙取り方情報として表示し、掌を上向きにした右手で印刷済み用紙Ｐを取るよう報知する。印刷済み用紙Ｐの表面が下向きになり、かつ、印刷済み用紙Ｐの印刷画像の向きが装置正面側から見て右向きになる場合には、甲を上向きにした左手画像ＢＬＨ（図６参照）を用紙取り方情報として表示し、甲を上向きにした左手で印刷済み用紙Ｐを取るよう報知する。印刷済み用紙Ｐの表面が上向きになり、かつ、印刷済み用紙Ｐの印刷画像の向きが装置正面側から見て左向きになる場合には、掌を上向きにした左手画像ＰＬＨ（図７参照）を用紙取り方情報として表示し、掌を上向きにした左手で印刷済み用紙Ｐを取るよう報知する。
【００７４】
このような用紙取り方情報（手画像Ｈ）を表示して印刷済み用紙Ｐの排出トレイ１０１からの取り方を報知することにより、右手および左手のうちいずれで印刷済み用紙Ｐを取ればよいか、また、甲および掌のいずれを上向きにして印刷済み用紙Ｐを取ればよいか、が分かり易い。
【００７５】
また、本実施形態では、上記のように、排出トレイ１０１に排出される印刷済み用紙Ｐを右手で取るか左手で取るかの設定入力を操作パネル８（入力部）が受け付ける。すなわち、操作パネル８は、右手画像ＲＨおよび左手画像ＬＨを配した受付画面ＲＳ（図１２参照）を表示する。そして、印刷済み用紙Ｐを右手で取る旨の設定入力を操作パネル８が受け付けた場合（右手画像ＲＨがタッチされた場合）、印刷部２は、印刷済み用紙Ｐの表裏面のうち表面が下向きになり、かつ、印刷済み用紙Ｐの印刷画像の向きが装置正面側から見て左向きになるように、または、印刷済み用紙Ｐの表裏面のうち表面が上向きになり、かつ、印刷済み用紙Ｐの印刷画像の向きが装置正面側から見て右向きになるように、用紙Ｐに画像を印刷して印刷済み用紙Ｐを排出トレイ１０１に排出する。
【００７６】
一方で、印刷済み用紙Ｐを左手で取る旨の設定入力を操作パネル８が受け付けた場合（左手画像ＬＨがタッチされた場合）、印刷部２は、印刷済み用紙Ｐの表裏面のうち表面が下向きになり、かつ、印刷済み用紙Ｐの印刷画像の向きが装置正面側から見て右向きになるように、または、印刷済み用紙Ｐの表裏面のうち表面が上向きになり、かつ、印刷済み用紙Ｐの印刷画像の向きが装置正面側から見て左向きになるように、用紙Ｐに画像を印刷して印刷済み用紙Ｐを排出トレイ１０１に排出する。
【００７７】
これにより、印刷済み用紙Ｐを右手で取りたい場合には、印刷済み用紙Ｐを右手で取る旨の設定入力を操作パネル８に対して行うことにより、排出トレイ１０１に排出される印刷済み用紙Ｐの向きを右手で取る場合に適した向きにすることができる。一方で、印刷済み用紙Ｐを左手で取りたい場合には、印刷済み用紙Ｐを左手で取る旨の設定入力を操作パネル８に対して行うことにより、排出トレイ１０１に排出される印刷済み用紙Ｐの向きを左手で取る場合に適した向きにすることができる。したがって、ユーザーの利便性が向上する。特に、片手が不自由なユーザーの利便性が向上する。
【００７８】
また、本実施形態では、上記のように、操作パネル８は、印刷済み用紙Ｐの表裏面のうち排出トレイ１０１への排出時に上向きにされる面の印刷画像に対応するプレビュー画像ＰＰを排出用紙情報として表示するとともに、プレビュー画像ＰＰの向きを排出トレイ１０１に排出される印刷済み用紙Ｐの印刷画像の向きと一致させる。これにより、容易に、排出トレイ１０１に排出される印刷済み用紙Ｐの表裏面の向きおよび印刷済み用紙Ｐの印刷画像の向きをユーザーに認識させることができる。
【００７９】
また、本実施形態では、上記のように、操作パネル８は、印刷済み用紙Ｐの上側部分（所定部分）がめくり返された状態の画像をプレビュー画像ＰＰとして生成する、そして、操作パネル８は、フェイスダウンモードに設定されている場合、印刷済み用紙Ｐの表面の印刷画像の一部をプレビュー画像ＰＰの部分ＵＰ（印刷済み用紙Ｐの上側部分に対応する部分）に表示する。これにより、印刷済み用紙Ｐの裏面が白紙であっても（プレビュー画像ＰＰが白紙画像であっても）、印刷済み用紙Ｐの表面の印刷画像の一部がプレビュー画像ＰＰの部分ＵＰに表示されるので、印刷済み用紙Ｐの印刷画像の向きを識別することができる。
【００８０】
また、本実施形態では、上記のように、操作パネル８は、プレビュー画像ＰＰを配した印刷状況画面ＳＳ（画面）を構成する全ての画面要素ＳＥの向きを排出トレイ１０１に排出される印刷済み用紙Ｐの印刷画像の向きと一致させる。このように、印刷状況画面ＳＳを構成する全ての画面要素ＳＥ（プレビュー画像ＰＰを含む）の向きを排出トレイ１０１に排出される印刷済み用紙Ｐの印刷画像の向きと一致させると、印刷済み用紙Ｐの印刷画像の向きの識別がより容易になる。
【００８１】
また、本実施形態では、上記のように、操作パネル８は、プレビュー画像ＰＰを表示するとき、プレビュー画像ＰＰの一部ＥＰを他の部分に対して拡大する。これにより、プレビュー画像ＰＰの表示サイズが全体的に小さくても、プレビュー画像ＰＰの一部ＥＰが拡大表示されるので、印刷済み用紙Ｐの印刷画像の向きの識別が困難になるのを抑制することができる。
【００８２】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００８３】
２  印刷部
８  操作パネル（表示部、入力部）
１００  複合機（画像形成装置）
１０１  排出トレイ
Ｈ  手画像（用紙取り方情報）
Ｐ  用紙、印刷済み用紙
ＰＰ  プレビュー画像（排出用紙情報）
ＳＥ  画面要素
【図１】
0005998119.tif 000002
【図３】
0005998119.tif 000003
【図４】
0005998119.tif 000004
【図５】
0005998119.tif 000005
【図６】
0005998119.tif 000006
【図７】
0005998119.tif 000007
【図８】
0005998119.tif 000008
【図９】
0005998119.tif 000009
【図１０】
0005998119.tif 000010
【図１１】
0005998119.tif 000011
【図１２】
0005998119.tif 000012
【図１３】
0005998119.tif 000013
【図２】
0005998119.tif 000014